(57)【要約】【課題】一部の使用者に対して記録媒体からの情報を再生すること又は記録媒体を機器本体に出し入れすることを制限することができる情報処理装置を提供する。【解決手段】ＤＶＤチェンジャ１はＤＶＤを動作させる動作機構部３０と機器本体３内に収容されたＤＶＤのうちの少なくとも一つのＤＶＤを除いたＤＶＤに対応して設けられかつ当該対応したＤＶＤを動作させるための命令を入力するための対応ボタン２８を有した操作部２４と一つの対応ボタン２８のみが操作された際に当該操作された対応ボタン２８に対応したＤＶＤを動作させ複数の対応ボタン２８が予め定められたパターンにしたがって操作された際に対応した対応ボタン２８が設けられていないＤＶＤを動作させるＭＰＵ１６とを備えている。【選択図】図３
2009032334.tif 000002
【特許請求の範囲】
【請求項１】
機器本体に記録媒体を少なくとも一つ収容して、当該記録媒体の情報を再生する情報処理装置において、
前記記録媒体を動作させる動作機構部と、
前記機器本体内に収容された記録媒体のうちの少なくとも一つの記録媒体を除いた記録媒体に対応して設けられかつ当該対応した前記記録媒体を動作させるための命令を入力するための対応部を有した操作部と、
一つの前記対応部のみが操作された際に、当該操作された対応部に対応した前記記録媒体を動作させ、複数の対応部が予め定められたパターンにしたがって操作された際に前記少なくとも一つの記録媒体を動作させる制御手段と、
を備えたことを特徴とする情報処理装置。
【請求項２】
前記機器本体に前記記録媒体を複数収容し、
前記対応部が少なくとも一つ設けられていることを特徴とする請求項１記載の情報処理装置。
【発明の詳細な説明】
【技術分野】
【０００１】
本発明は、機器本体に記録媒体を収容して、当該記録媒体の情報を再生する情報処理装置に関する。
【背景技術】
【０００２】
自動車のインストルメントパネルには、記録媒体としてのDigital Versatile Disc（以下、ＤＶＤと記す）等を複数枚（即ち、少なくとも一つ）収容して、これら複数のＤＶＤのうちの任意の一つのＤＶＤの情報を再生する情報処理装置としてのＤＶＤチェンジャ（例えば、特許文献１参照）が取り付けられることがある。
【０００３】
この種のＤＶＤチェンジャは、機器本体と、この機器本体に設けられた挿入口を開閉する開閉部と、開閉部よりも機器本体の内側に配置されてこの機器本体にＤＶＤを出し入れする搬送部と、機器本体内に収容された複数のＤＶＤのうち任意の一つのＤＶＤから情報を読み出して再生する再生部と、機器本体の外表面に設置されて、前記ＤＶＤの出し入れや再生の開始及び停止などの命令を入力するための操作部とを備えている。
【０００４】
前述した従来のＤＶＤチェンジャの操作部は、ＤＶＤと１対１で対応して所望のＤＶＤを選択するための対応ボタンと、ＤＶＤの出し入れや再生の開始／停止などを操作するための動作スイッチと、を備えている。即ち、操作部は、収容するＤＶＤの枚数と同数の対応ボタンと、複数の動作ボタンとを備えている。
【０００５】
前述したＤＶＤチェンジャは、機器本体内に収容された複数のＤＶＤのうちの出し入れや再生の開始／停止などを行うＤＶＤに対応した対応ボタンを操作した後に、所望の動作を行うための動作ボタンを操作することで、所望のＤＶＤを機器本体に出し入れしたり、当該所望のＤＶＤの再生の開始／停止などを行う。
【特許文献１】特開２００５−２７６３５６号公報
【発明の開示】
【発明が解決しようとする課題】
【０００６】
しかしながら、前述した特許文献１に示されたＤＶＤチェンジャは、機器本体内に収容したＤＶＤの全てに対応した対応ボタンを設けているため、例えば、年少者の視聴に適さないＲ指定映画や暴力シーンの多い映画などを記録したＤＶＤを機器本体内に収容した状態であっても、当該年少者が操作部を操作して、これらのＲ指定映画や暴力シーンの多い映画などを記録したＤＶＤを再生してしまったり、当該ＤＶＤを取り出してしまったりすることが可能である。このように、従来のＤＶＤチェンジャでは、機器本体内に収容したＤＶＤを全ての使用者が再生又は出し入れすることが可能な構成となっているので、視聴に適さない使用者が、容易に視聴に適さない情報を記録したＤＶＤの情報を再生させたり当該ＤＶＤを出し入れしたりすることが可能であった。
【０００７】
したがって、本発明の目的は、例えば、一部の使用者に対して記録媒体からの情報を再生すること又は記録媒体を機器本体に出し入れすることを制限することができる情報処理装置を提供することにある。
【課題を解決するための手段】
【０００８】
前記課題を解決し目的を達成するために、請求項１に記載の本発明の情報処理装置は、機器本体に記録媒体を少なくとも一つ収容して、当該記録媒体の情報を再生する情報処理装置において、前記記録媒体を動作させる動作機構部と、前記機器本体内に収容された記録媒体のうちの少なくとも一つの記録媒体を除いた記録媒体に対応して設けられかつ当該対応した前記記録媒体を動作させるための命令を入力するための対応部を有した操作部と、一つの前記対応部のみが操作された際に、当該操作された対応部に対応した前記記録媒体を動作させ、複数の対応部が予め定められたパターンにしたがって操作された際に前記少なくとも一つの記録媒体を動作させる制御手段とを備えたことを特徴としている。
【発明を実施するための最良の形態】
【０００９】
以下、本発明における情報処理装置の実施の形態について説明する。本発明の実施の形態にかかる情報処理装置は、操作部に、少なくとも一つの記録媒体に対応した対応部を設けていないので、この対応部が設けられていない記録媒体を、操作部への通常の操作では、機器本体への出し入れ、情報の再生の開始／停止などの動作を行うことができない。
【００１０】
このため、操作部への通常の操作では、全ての記録媒体を動作させることができずに、対応した対応部が設けられていない記録媒体を動作させるための複数の対応部を操作するパターンを知らない使用者が、対応した対応部が設けられていない記録媒体の情報を再生することを防止できる。したがって、一部の使用者に対して全ての記録媒体からの情報の再生を行うこと及び記録媒体の出し入れすることを防止できる。
【００１１】
また、複数の対応部が予め定められたパターンにしたがって操作されると、対応部が設けられていない記録媒体の機器本体への出し入れ、情報の再生の開始／停止などの動作を行わせる制御手段を備えているので、対応部が設けられていない記録媒体の動作を確実に行うことができる。
【００１２】
さらに、機器本体内に複数の記録媒体を収容し、対応部が少なくとも一つ設けられていても良い。この場合、通常の操作では、機器本体内に収容した複数の記録媒体のうちの対応部が設けられていない少なくとも一つの記録媒体が動作することを防止でき、一部の使用者に対して全ての記録媒体からの情報の再生を行うこと及び記録媒体の出し入れすることを防止できる。
【実施例】
【００１３】
以下、本発明の一実施例にかかる情報処理装置の一例としてのＤＶＤチェンジャ１を、図１ないし図３に基づいて説明する。図１などに示すＤＶＤチェンジャ１は、自動車などの移動体に装備されて、記録媒体としてのＤＶＤ２（図２などに示す）を複数収容して、これらのＤＶＤ２から任意のＤＶＤ２に記録された情報を読み出（再生）して、映像及び音声として出力する装置である。ＤＶＤ２は、勿論、円板状即ちディスク状に形成されており、コンピュータなどの電子機器で読みとることのできる情報を記録した（ディスク形）記録媒体である。
【００１４】
ＤＶＤチェンジャ１は、図２に示すように、機器本体３（図１に示す）と、表示部２３と、操作部２４と、搬送部としてのディスク搬送部４と、ディスク再生部５と、ディスク収容部６と、ディスク移動機構７と、制御手段としてのマイクロプロセッサ（ＭＰＵ）１６（図３に示す）と、を備えている。なお、以下、図２中の矢印ＸをＤＶＤチェンジャ１の幅方向と記し、矢印ＹをＤＶＤチェンジャ１の奥行き方向と記し、矢印ＺをＤＶＤチェンジャ１の厚み方向と記す。
【００１５】
機器本体３は、合成樹脂などからなる挿入口１０を備えた図１に示す外側ケース８と、板金などからなる図２などに示す固定シャーシ９などを備えている。外側ケース８は、扁平な箱状に形成されている。外側ケース８には、ＤＶＤ２を出し入れ可能な挿入口１０が設けられている。挿入口１０は、外側ケース８の外壁を貫通している。挿入口１０は、内側にＤＶＤ２を通すことができる。挿入口１０は、横長の扁平な孔である。挿入口１０と後述の挿入口３１を通して、前記ＤＶＤ２は、外側ケース８即ち機器本体３内に収容されたり、該機器本体３内から排出される。
【００１６】
固定シャーシ９は、外側ケース８内に収容されているとともに、該外側ケース８に固定されている。固定シャーシ９は、図２に示すように、板状の底板１１と、この底板１１の外縁から立設した周板１２とを備えている。底板１１は、外側ケース８の図１中下側に位置する壁上に重ねられている。
【００１７】
表示部２３は、外側ケース８の挿入口１０が設けられた前面８ａに設けられた表示パネルとしての蛍光表示管２５を備えている。
【００１８】
蛍光表示管２５は、前面８ａに露出して、使用者に対し各種の情報を表示する表示領域としての表示面を備えている。蛍光表示管２５は、表示面に複数のＤＶＤ２のうちの再生中のＤＶＤ２などの情報を表示する。
【００１９】
操作部２４は、図１及び図３に示すように、外側ケース８の前面８ａに設けられ、ディスク対応部２６と、動作部２７とを備えている。ディスク対応部２６は、前面８ａから凸没自在に設けられた対応部としての対応ボタン２８を複数備えている。対応ボタン２８は、機器本体３内に設けられた後述する複数のホルダ１９のうちの少なくとも一つのホルダ１９を除いたホルダ１９と１対１で対応している。
【００２０】
図示例では、ホルダ１９を七つ設け、対応ボタン２８を六つ設けている。また、図示例では、七つのホルダ１９のうちの図２中下方に位置する六つのホルダ１９に、下から順に、１から徐々に大きな整数の番号を付して、各ホルダ１９に対応した対応ボタン２８に前記ホルダ１９の番号を示す数字を設けている。このように、図示例では、対応ボタン２８は、複数のホルダ１９即ち当該ホルダ１９に保持されるＤＶＤ２のうちの下から６枚のＤＶＤ２と１対１で対応して設けられている。また、図示例では、対応ボタン２８は、機器本体３内の一つのホルダ１９即ち当該ホルダ１９の保持される一つのＤＶＤ２を除いたＤＶＤ２と対応して設けられている。
【００２１】
対応ボタン２８は、いずれか一つのみが押圧されることで、前述した六つのＤＶＤ２のうちの後述する動作を行わせるＤＶＤ２を指定する命令を入力するために用いられる。
【００２２】
動作部２７は、前面８ａから凸没自在に設けられた動作ボタン２９を複数備えている。図示例では、動作ボタン２９は、例えば、ＤＶＤ２の挿入又は排出（Load又はEjectともいう）をするための動作ボタン２９と、ＤＶＤ２の再生の開始又は停止（Playともいう）をするための動作ボタン２９とが設けられている。
【００２３】
このように、動作ボタン２９は、いずれか一つの動作ボタン２９が押圧されることで、ＤＶＤ２の挿入又は排出、再生の開始又は停止を行わせる命令を入力するために用いられる。なお、本明細書では、ＤＶＤ２の挿入又は排出、再生の開始又は停止を総称して、ＤＶＤ２の動作と記す。
【００２４】
前述した操作部２４は、ディスク対応部２６の対応ボタン２８のうちのいずれかが押圧されることで、前述した六つのＤＶＤ２のうちのいずれかを指定する命令を入力し、対応ボタン２８が押圧された後に連続して動作部２７の動作ボタン２９のうちのいずれかが押圧されることで、前述した指定されたＤＶＤ２を、挿入又は排出、再生の開始又は停止などの各種の動作をさせる命令を入力する。こうして、操作部２４は、前述した六つのホルダ１９のうちの任意のホルダ１９へのＤＶＤ２の挿入又は排出を可能とするとともに、任意のホルダ１９に保持されたＤＶＤ２からの情報の再生の開始又は停止を可能としている。このように、対応ボタン２８は、対応したホルダ１９即ちＤＶＤ２を動作させるための命令を入力するために用いられる。
【００２５】
ディスク搬送部４は、機器本体３の固定シャーシ９内に収容され、図２に示すように、ローラアーム１３と、ローラ１４とを備えている。ローラアーム１３は、板金などからなり、長手方向が機器本体３の幅方向Ｘに沿った帯状に形成されている。ローラアーム１３は、挿入口１０の近傍に配され、機器本体３の固定シャーシ９に取り付けられている。
【００２６】
ローラ１４は、ローラアーム１３に軸芯周りに回転自在に支持されている。ローラ１４の軸芯即ち長手方向は、ＤＶＤチェンジャ１の幅方向Ｘに沿っている。ローラ１４は、外周面に挿入口１０内を通されるＤＶＤ２が接触する。ローラ１４の端部には、当該ローラ１４と一体に回転自在な伝達歯車２０が取り付けられている。この伝達歯車２０には、複数の歯車２１を介して固定シャーシ９に固定されたモータ２２の駆動力が伝達される。
【００２７】
ローラ１４は、複数の歯車２１及び伝達歯車２０などを介して伝達されたモータ２２の駆動力により、軸芯周りに回転される。ローラ１４の外周面にＤＶＤ２が接触し、ローラ１４がモータ２２により回転駆動されることで、ディスク搬送部４は、挿入口１０内にＤＶＤ２を通す。こうして、ディスク搬送部４は、挿入口１０内にＤＶＤ２を通すことで、ＤＶＤ２を機器本体３の内外に搬送する（出し入れする）。
【００２８】
ディスク再生部５は、機器本体３内に収容されており、移動シャーシと、この移動シャーシに揺動自在に支持された揺動シャーシと、クランプ再生部とを備えている。移動シャーシは、枠状に形成され、厚み方向Ｚ即ちＤＶＤ２同士が重ねられる方向に沿って移動自在に固定シャーシ９に支持されている。
【００２９】
揺動シャーシは、帯板状に形成されている。揺動シャーシは、一端部を中心として回動自在に移動シャーシに支持されている。揺動シャーシは、一端部を中心として回動することで、ディスク収容部６に収容される複数のＤＶＤ２間に他端部が侵入する状態と、ディスク収容部６に収容される複数のＤＶＤ２間から他端部が抜け出る状態とに亘って変位自在になっている。
【００３０】
クランプ再生部は、揺動シャーシ上に設けられている。クランプ再生部は、ＤＶＤ２をクランプするターンテーブルと、当該ターンテーブルを回転するスピンドルモータと、ターンテーブルにクランプされたＤＶＤ２の径方向に移動自在でかつＤＶＤ２からの情報を読み出すピックアップなどを備えている。クランプ再生部は、揺動シャーシの他端部がＤＶＤ２間に侵入して、ターンテーブルが該ＤＶＤ２をクランプして、スピンドルモータが当該ＤＶＤ２を回転する。そして、クランプ再生部は、ターンテーブルが回転しているＤＶＤ２からピックアップが情報を読み出す。
【００３１】
ディスク再生部５は、揺動シャーシの他端部がＤＶＤ２間に侵入して、ターンテーブルがＤＶＤ２をクランプするとともに、ターンテーブルがＤＶＤ２を回転する。ディスク再生部５は、ピックアップが、ターンテーブルにより回転されたＤＶＤ２から情報を読み出す。
【００３２】
ディスク収容部６は、機器本体３内に収容されており、図２に示すように、移動シャーシ１８と、複数の保持部材としてのホルダ１９とを備えている。移動シャーシ１８は、板金などからなり、板状に形成されている。移動シャーシ１８は、固定シャーシ９の底板１１と間隔をあけて平行に配されている。移動シャーシ１８は、固定シャーシ９の底板１１との間にディスク再生部５を位置付けることが可能である。移動シャーシ１８は、前述した厚み方向Ｚ即ちＤＶＤ２同士が重ねられる方向に沿って移動自在に固定シャーシ９の周板１２などに支持されている。
【００３３】
ホルダ１９は、合成樹脂からなり、板状に形成されている。ホルダ１９の平面形状は、Ｃ字状に形成されている。ホルダ１９は、底板１１と移動シャーシ１８との双方と平行な状態で、図示せぬ円柱カムに支持されている。ホルダ１９は、そのＣ字状に形成された開口部が挿入口１０と相対する状態に配されている。ホルダ１９は、図示例では、七つ設けられている。
【００３４】
ホルダ１９は、挿入口１０を通して機器本体３に挿入されたＤＶＤ２が、開口部を通して内側に侵入することで、このＤＶＤ２を保持する。複数のホルダ１９は、各々が保持するＤＶＤ２の表面が互いに平行になるように、互いに重ねられて配されている。ホルダ１９は、前記厚み方向Ｚに沿って移動自在に移動シャーシ１８などに支持されている。ディスク収容部６は、ＤＶＤ２を保持可能な複数のホルダ１９を積層配列して収容する。
【００３５】
ディスク移動機構７は、機器本体３内に収容されており、ディスク再生部５とディスク収容部６の双方の移動シャーシ１８を厚み方向Ｚに沿って移動させるとともに、ディスク収容部６の各ホルダ１９を厚み方向Ｚに沿って移動させる。ディスク移動機構７は、機器本体３内のＤＶＤ２から情報を読み出す際には、ディスク収容部６の移動シャーシ１８を底板１１から最も遠ざけて即ち最も上昇させて、ディスク再生部５の移動シャーシを厚み方向Ｚに沿って移動させる。そして、ディスク移動機構７は、ディスク収容部６のホルダ１９を厚み方向Ｚに沿って移動させて、一つのＤＶＤ２を保持したホルダ１９を他のホルダ１９から遠ざけて、これらのホルダ１９間に揺動シャーシの他端部を侵入させて、ディスク再生部５のクランプ再生部に前述した一つのＤＶＤ２から情報を読み出させる。
【００３６】
ディスク移動機構７は、機器本体３の内外にＤＶＤ２を出し入れする際には、ディスク再生部５の移動シャーシを底板１１に最も近づけて即ち最も降下させて、ディスク収容部６の移動シャーシ１８を厚み方向Ｚに沿って移動させる。そして、ディスク移動機構７は、ディスク収容部６のホルダ１９を厚み方向Ｚに沿って移動させて、機器本体３に挿入されたＤＶＤ２を保持する又は保持したＤＶＤ２を機器本体３外に排出する一つのホルダ１９を他のホルダ１９から遠ざけるとともに、この一つのホルダ１９をディスク搬送部４の後述のローラアーム１３と図示せぬディスクガイドとの間と奥行き方向Ｙに沿って並ぶ位置に位置付けて、機器本体３に挿入されたＤＶＤ２を前述した一つのホルダ１９に保持させたり、前述した一つのホルダ１９に保持されたＤＶＤ２を機器本体３外に排出させる。
【００３７】
なお、ディスク搬送部４とディスク再生部５とディスク移動機構７とで、特許請求の範囲に記載された記録媒体としてのＤＶＤ２を動作させる動作機構部３０を構成している。
【００３８】
ＭＰＵ１６は、周知のように、予め定めたプログラムに従って各種の処理や制御などを行う中央演算処理装置（ＣＰＵ）と、ＣＰＵのためのプログラム等を格納した読み出し専用のメモリであるＲＯＭと、各種のデータを格納するとともにＣＰＵの処理作業に必要なエリアを有する読み出し書き込み自在のメモリであるＲＡＭ等を有して構成しており、ＭＰＵ１６には、表示部２３と、ディスク搬送部４と、ディスク再生部５と、ディスク移動機構７などが電気的に接続されて、これらの動作を制御して、ＤＶＤチェンジャ１全体の制御をつかさどる。
【００３９】
ＭＰＵ１６は、操作部２４の複数の対応ボタン２８のうちの任意の一つの対応ボタン２８が操作された後に、複数の動作ボタン２９のうちの任意の一つの対応ボタン２８が操作されると、操作された対応ボタン２８が対応したホルダ１９即ちＤＶＤ２を、前述した操作された動作ボタン２９が対応した動作を行わせる。そして、ＭＰＵ１６が、この動作状況を表示部２３に表示する。
【００４０】
また、ＭＰＵ１６は、対応した対応ボタン２８が設けられていないホルダ１９即ちＤＶＤを前述した動作させるために、このＤＶＤ２を指定する際の複数の対応ボタン２８が連続して操作されるパターンを予め記憶している。このパターンとは、例えば、１番の対応ボタン２８と６番の対応ボタン２８と３番の対応ボタン２８を順に操作するなどの操作する順番を示している。
【００４１】
そして、ＭＰＵ１６は、複数の対応ボタン２８が予め定められたパターンにしたがって操作された後に、複数の動作ボタン２９のうちの任意の一つの対応ボタン２８が操作されると、前述した対応した対応ボタン２８が設けられていない一つのホルダ１９即ち一つのＤＶＤ２を、前述した操作された動作ボタン２９が対応した動作を行わせる。このように、ＭＰＵ１６は、一つの対応ボタン２８のみが操作された際に、当該操作された対応ボタン２８に対応したＤＶＤ２を動作させ、複数の対応ボタン２８が予め定められたパターンにしたがって操作された際に、対応した対応ボタン２８が設けられていないＤＶＤ２を動作させる。
【００４２】
前述したＤＶＤチェンジャ１は、操作部２４からの命令どおりに、ディスク再生部５及びディスク移動機構７などを制御して、所望のＤＶＤ２の所望のプログラムを再生するとともにプログラムの再生を停止する。さらに、ＤＶＤチェンジャ１は、操作部２４からの命令どおりに、ディスク移動機構７、ディスク搬送部４などを制御して、所望のホルダ１９に保持されたＤＶＤ２を機器本体３外に排出する。
【００４３】
本実施例によれば、操作部２４に、一つのＤＶＤ２に対応した対応ボタン２８を設けていないので、この対応ボタン２８が設けられていないＤＶＤ２を、操作部２４への通常の操作では、機器本体３への出し入れ、情報の再生の開始／停止などの動作を行うことができない。このため、操作部２４への通常の操作では、全てのＤＶＤ２を動作させることができるわけではなく、対応した対応ボタン２８が設けられていないＤＶＤ２を動作させるための複数の対応ボタン２８を操作するパターンを知らない使用者が、対応した対応ボタン２８が設けられていないＤＶＤ２の情報を再生することを防止できる。したがって、一部の使用者に対して全てのＤＶＤ２からの情報を再生すること又はＤＶＤ２を機器本体３に出し入れすることを制限することができる。
【００４４】
また、複数の対応ボタン２８が予め定められたパターンにしたがって操作されると、対応ボタン２８が設けられていないＤＶＤ２の機器本体３への出し入れ、情報の再生の開始／停止などの動作を行わせるＭＰＵ１６を備えているので、対応ボタン２８が設けられていないＤＶＤ２の動作を確実に行うことができる。
【００４５】
さらに、機器本体３内に複数のＤＶＤ２を収容し、対応ボタン２８が少なくとも一つ設けられている。この場合、通常の操作では、機器本体３内に収容した複数のＤＶＤ２のうちの前述した対応ボタン２８が設けられていない一つのＤＶＤ２が動作することを防止でき、一部の使用者に対して全てのＤＶＤ２からの情報を再生すること又はＤＶＤ２を機器本体３に出し入れすることを制限することができる。
【００４６】
前述した実施例では、記録媒体としてのＤＶＤ２を複数収容するＤＶＤチェンジャ１を示している。しかしながら、本発明では、例えば、ディスク形記録媒体としてのＭＤ（Mini Disc）を複数収容するＭＤチェンジャや、例えば、ＣＤ（Compact Disc）などの他のディスク形記録媒体を複数収容する情報処理装置に適用しても良い。さらに、本発明は、前述したＭＤ、ＤＶＤなどの記録媒体を一つのみ収容して、収容した一つの記録媒体の情報を再生する情報処理装置にも適用することができる。
【００４７】
また、前述した実施例では、一つのＤＶＤ２を除いた他のＤＶＤ２に対応させて、対応ボタン２８を設けている。しかしながら、本発明では、複数のＤＶＤ２を除いた他のＤＶＤ２に対応させて、対応ボタン２８を設けても良い。要するに、本発明では、操作部２４に、少なくとも一つのＤＶＤ２に対応した対応ボタン２８を設けなければ良い。勿論、本発明では、対応ボタン２８が少なくとも一つ設けられていれば良い。また、対応ボタン２８や動作ボタン２９は、タッチパネル式のボタンなどの他の種々の形式のボタンとしても良い。また、対応する対応ボタン２８が設けられていないＤＶＤ２を動作させる際に、対応ボタン２８のみならず、種々のボタンやスイッチなどを予め定められたパターンにしたがって操作しても良いことは勿論である。
【００４８】
前述した実施例によれば、以下のＤＶＤチェンジャ１が得られる。
【００４９】
（付記）  機器本体３にＤＶＤ２を少なくとも一つ収容して、当該ＤＶＤ２の情報を再生するＤＶＤチェンジャ１において、
前記ＤＶＤ２を動作させる動作機構部３０と、
前記機器本体３内に収容されたＤＶＤ２のうちの少なくとも一つのＤＶＤ２を除いたＤＶＤ２に対応して設けられかつ当該対応した前記ＤＶＤ２を動作させるための命令を入力するための対応ボタン２８を有した操作部２４と、
一つの前記対応ボタン２８のみが操作された際に、当該操作された対応ボタン２８に対応した前記ＤＶＤ２を動作させ、複数の対応ボタン２８が予め定められたパターンにしたがって操作された際に前記少なくとも一つのＤＶＤ２を動作させるＭＰＵ１６と、
を備えたことを特徴とするＤＶＤチェンジャ１。
【００５０】
付記に記載のＤＶＤチェンジャ１によれば、操作部２４に、一つのＤＶＤ２に対応した対応ボタン２８を設けていないので、この対応ボタン２８が設けられていないＤＶＤ２を、操作部２４への通常の操作では、機器本体３への出し入れ、情報の再生の開始／停止などの動作を行うことができない。したがって、操作部２４への通常の操作では、全てのＤＶＤ２を動作させることができずに、したがって、一部の使用者に対して全てのＤＶＤ２からの情報を再生すること又はＤＶＤ２を機器本体３に出し入れすることを制限することができる。
【００５１】
また、複数の対応ボタン２８が予め定められたパターンにしたがって操作されると、対応ボタン２８が設けられていないＤＶＤ２の機器本体３への出し入れ、情報の再生の開始／停止などの動作を行わせるＭＰＵ１６を備えているので、対応ボタン２８が設けられていないＤＶＤ２の動作を確実に行うことができる。
【００５２】
なお、前述した実施例は本発明の代表的な形態を示したに過ぎず、本発明は、実施例に限定されるものではない。即ち、本発明の骨子を逸脱しない範囲で種々変形して実施することができる。
【図面の簡単な説明】
【００５３】
【図１】本発明の一実施例にかかる情報処理装置としてのＤＶＤチェンジャの外観を示す斜視図である。
【図２】図１に示されたＤＶＤチェンジャの互いに組み付けられた固定シャーシとディスク再生部とディスク収容部とディスク移動機構などを示す斜視図である。
【図３】図１に示されたＤＶＤチェンジャの構成を示すブロック図である。
【符号の説明】
【００５４】
１  ＤＶＤチェンジャ（情報処理装置）
２  ＤＶＤ（記録媒体）
３  機器本体
１６  ＭＰＵ（制御手段）
２４  操作部
２８  対応ボタン（対応部）
３０  動作機構部
【図１】
2009032334.tif 000003
【図２】
2009032334.tif 000004
【図３】
2009032334.tif 000005